(57)【要約】【課題】この発明は、既設の天井照明装置を照明板の落下防止機構付きの天井照明装置に簡易に更新できるエレベータかご室の天井照明装置の照明板落下防止装置、それを備えた天井照明装置、および天井照明装置の照明板の取り外し方法を得る。【解決手段】照明板落下防止装置１４は、天井２の上面に配設される下取付金１５と、上取付金１６と、上取付金１６を照明ボックスの底面に当接させた状態で下取付金１５に締着固定するスタッドボルト１８及びナット２０と、下取付金１５から離反する方向に付勢されて照明板１１の側面に当接し、下取付金１５に近接する方向に押圧されて照明板１１の側面から離間する押え部１７ｃ、及び押え部１７ｃの上端から下取付金１５から離反する方向に突出され、照明板１１の外周縁部の上方に離間して位置して、照明板１１の浮き上がりを阻止するストッパ部１７ｄを有し、下取付金１５に取り付けられた板ばね１７と、を備えている。【選択図】図２
2015040108.tif 000002
【特許請求の範囲】
【請求項１】
外周縁部をかご室の天井に形成された照明口の周縁部の上面にのせて配設されて、上記照明口を塞口する照明板と、
内部に照明器具を備え、上記照明板を覆うように上記天井の上面に取り付けられた照明ボックスと、を備えたエレベータかご室の天井照明装置の照明板落下防止装置であって、
上記天井の上面に上記照明口から離間して配設される下取付金と、
上記下取付金に高さ位置を調整可能に取り付けられる上取付金と、
上記天井の上面に相対する上記照明ボックスの底面に上記上取付金を当接させた状態で、上記上取付金を上記下取付金に締着固定する固定部材と、
上記下取付金に取り付けられ、付勢力により上記下取付金から離反する方向に付勢されて上記照明板の外周縁部の側面に当接し、上記付勢力に抗して上記下取付金に近接する方向に押圧されて上記照明板の外周縁部の側面から離間する押え部、および上記押え部の上端から上記下取付金から離反する方向に突出され、上記押え部が上記照明板の外周縁部の側面に当接したときに、上記照明板の外周縁部の上方に離間して位置して、上記照明板の浮き上がりを阻止するストッパ部を有する板ばねと、を備えていることを特徴とするエレベータかご室の天井照明装置の照明板落下防止装置。
【請求項２】
外周縁部をかご室の天井に形成された照明口の周縁部の上面にのせて配設され、上記照明口を塞口する照明板と、
内部に照明器具を備え、上記照明板を覆うように上記天井の上面に取り付けられた照明ボックスと、
上記照明ボックス内に配設された照明板落下防止装置と、を備え、
上記照明板落下防止装置は、
上記天井の上面に上記照明口から離間して配設された下取付金と、
上記下取付金に高さ位置を調整可能に取り付けられた上取付金と、
上記天井の上面に相対する上記照明ボックスの底面に上記上取付金を当接させた状態で、上記上取付金を上記下取付金に締着固定する固定部材と、
上記下取付金に取り付けられ、押え部および上記押え部の上端から上記照明口側に突出するストッパ部を有する板ばねと、を有し、
上記板ばねは、上記押え部が、上記照明口側に付勢する付勢力により上記照明板の外周縁部の側面に当接して、上記ストッパ部を上記照明板の上方に離間して位置させて上記照明板の浮き上がりを阻止し、上記押え部が、上記付勢力に抗して上記照明口から離反する方向に変位して、上記ストッパ部を上記照明板の上方位置から上記下取付金側に退避させるように構成されていることを特徴とするエレベータかご室の天井照明装置。
【請求項３】
緩衝材が、上記押え部が上記照明板の外周縁部の側面に当接したときに、上記ストッパ部と上記照明板の外周縁部との間に位置するように配設されていることを特徴とする請求項２記載のエレベータかご室の天井照明装置。
【請求項４】
上記下取付金が上記天井の上面に接着固定されていることを特徴とする請求項２又は請求項３記載のエレベータかご室の天井照明装置。
【請求項５】
請求項２から請求項４のいずれか１項に記載のエレベータかご室の天井照明装置の照明板の取り外し方法であって、
上記照明板を上記ストッパ部に接するまで上方に移動させて上記照明板の外周縁部と上記照明口の周縁部との間に隙間を形成する工程と、
上記隙間に鋼尺を差し込んで上記押え部を上記照明口から離反する方向に押圧し、上記ストッパ部を上記照明板の外周縁部の上方位置から上記下取付金側に退避させる工程と、
上記照明板を上記ストッパ部より上方に上げた後、上記照明板を傾けて上記照明口から上記かご室内に引き出す工程と、を備えていることを特徴とするエレベータかご室の天井照明装置の照明板の取り外し方法。
【発明の詳細な説明】
【技術分野】
【０００１】
この発明は、エレベータかご室の天井照明装置の照明板落下防止装置、それを備えた天井照明装置、および天井照明装置の照明板の取り外し方法に関するものである。
【背景技術】
【０００２】
従来のエレベータかご室の天井照明装置は、天井板に形成された開口部を塞口するように配設された透光性の遮蔽体と、照明体を備え、遮蔽板を覆うように天井板の上面に配設された照明ボックスと、照明ボックスの４辺の１辺の側面に設けられて、遮蔽体の押し上げを防止する第１ストッパと、その辺と反対側の側面に設けられ、遮蔽体の押し上げを防止する第２ストッパを備えた板ばねと、を備え、照明ボックスに板ばねの撓み時の逃げ穴を設けないでも板ばねを照明ボックス内で撓ませることにより、第２ストッパの位置を可変できるように構成していた（例えば、特許文献１参照）。
【先行技術文献】
【特許文献】
【０００３】
【特許文献１】実開昭６３−７７９７５号公報
【発明の概要】
【発明が解決しようとする課題】
【０００４】
従来のエレベータかご室の天井照明装置では、遮蔽体の押し上げを防止する第１ストッパおよび板ばねを照明ボックスの側面にボルト、ナットなどの締着具を用いて固定している。そこで、遮蔽体の押し上げ防止機構を備えていない既設の天井照明装置を遮蔽体の押し上げ防止機構を備えた天井照明装置に更新する場合には、照明ボックスにボルトを取り付けるための穴加工が必要となり、更新作業が煩雑となるという課題があった。
【０００５】
本発明は、このような課題を解決するためになされたものであり、穴加工などの追加工を必要とせず、照明板の落下防止機構を備えていない既設の天井照明装置を照明板の落下防止機構を備えた天井照明装置に簡易に更新できるエレベータかご室の天井照明装置の照明板落下防止装置、それを備えた天井照明装置、および天井照明装置の照明板の取り外し方法を得ることを目的とする。
【課題を解決するための手段】
【０００６】
本発明に係るエレベータかご室の天井照明装置の照明板落下防止装置は、外周縁部をかご室の天井に形成された照明口の周縁部の上面にのせて配設されて、上記照明口を塞口する照明板と、内部に照明器具を備え、上記照明板を覆うように上記天井の上面に取り付けられた照明ボックスと、を備えたエレベータかご室の天井照明装置の照明板落下防止装置である。本照明板落下防止装置は、上記天井の上面に上記照明口から離間して配設される下取付金と、上記下取付金に高さ位置を調整可能に取り付けられる上取付金と、上記天井の上面に相対する上記照明ボックスの底面に上記上取付金を当接させた状態で、上記上取付金を上記下取付金に締着固定する固定部材と、上記下取付金に取り付けられ、付勢力により上記下取付金から離反する方向に付勢されて上記照明板の外周縁部の側面に当接し、上記付勢力に抗して上記下取付金に近接する方向に押圧されて上記照明板の外周縁部の側面から離間する押え部、および上記押え部の上端から上記下取付金から離反する方向に突出され、上記押え部が上記照明板の外周縁部の側面に当接したときに、上記照明板の外周縁部の上方に離間して位置して、上記照明板の浮き上がりを阻止するストッパ部を有する板ばねと、を備えている。
【発明の効果】
【０００７】
本発明によれば、上取付金が照明ボックスの底面に当接した状態で天井の上面に配設された下取付金に締着固定されるので、照明板落下防止装置は横移動を規制されて天井の上面と照明ボックスの間に配設される。そこで、既設の天井照明装置に本照明板落下防止装置を設置する際に、照明ボックスにボルトを取り付けるための穴加工が不要となる。これにより、照明板の落下防止機構を備えていない既設の天井照明装置を照明板の落下防止機構を備えた天井照明装置に簡易に更新できる。
【図面の簡単な説明】
【０００８】
【図１】この発明の実施の形態１に係るエレベータかご室の天井照明装置の概略構成を説明する縦断面図である。
【図２】この発明の実施の形態１に係るエレベータかご室の天井照明装置の照明板落下防止装置の設置状態を示す斜視図である。
【図３】この発明の実施の形態１に係るエレベータかご室の天井照明装置の照明板落下防止装置の動作を説明する一部破断上面図である。
【図４】この発明の実施の形態１に係るエレベータかご室の天井照明装置における照明板の取り外し方法を説明する図である。
【図５】この発明の実施の形態１に係るエレベータかご室の天井照明装置における照明板の取り外し方法を説明する図である。
【図６】この発明の実施の形態２に係るエレベータかご室の天井照明装置の照明板落下防止装置の設置状態を示す一部破断上面図である。
【図７】この発明の実施の形態２に係るエレベータかご室の天井照明装置の照明板落下防止装置の設置状態を示す縦断面図である。
【発明を実施するための形態】
【０００９】
以下、本発明のエレベータかご室の天井照明装置の照明板落下防止装置の好適な実施の形態について図面を用いて説明する。
【００１０】
実施の形態１．
図１はこの発明の実施の形態１に係るエレベータかご室の天井照明装置の概略構成を説明する縦断面図、図２はこの発明の実施の形態１に係るエレベータかご室の天井照明装置の照明板落下防止装置の設置状態を示す斜視図、図３はこの発明の実施の形態１に係るエレベータかご室の天井照明装置の照明板落下防止装置の動作を説明する一部破断上面図であり、図３の（ａ）は照明板の装着前の状態を示し、図３の（ｂ）は照明板の装着後の状態を示している。図４および図５はそれぞれこの発明の実施の形態１に係るエレベータかご室の天井照明装置における照明板の取り外し方法を説明する図である。
【００１１】
図１において、照明口３が、かご室１の天井２に略長方形の穴形状にあけられている。天井照明装置１０は、照明口３より一回り大きな略長方形の外形形状に作製され、外周縁部を照明口３の周縁部の上面にのせて、照明口３を塞口するように天井２に装着される透光性の照明板１１と、内部に照明器具１３を備え、照明板１１を覆うように天井２の上面に取り付けられる照明ボックス１２と、照明ボックス１２内の照明口３の相対する２辺の外側に配設されて照明板１１の落下を防止する照明板落下防止装置１４と、を備える。
【００１２】
照明板落下防止装置１４は、図２に示されるように、Ｌ字状に成形された下取付金１５と、Ｌ字状に成形された上取付金１６と、下取付金１５のＬ字状の他片の先端に取り付けられた板ばね１７と、を備える。
【００１３】
板ばね１７は、ばね鋼材の平板を屈曲成形して作製され、取付部１７ａと、取付部１７ａから一側に延び出る連結部１７ｂと、連結部１７ｂの先端に形成された押え部１７ｃと、押え部１７ｃの上端から直角に延び出るストッパ部１７ｄと、を備えている。板ばね１７は、取付部１７ａを下取付金１５のＬ字状の他片の先端部に固着されて、下取付金１５に取り付けられる。そして、押え部１７ｃが、下取付金１５のＬ字状の一片と略平行に、下取付金１５の長さ方向の一側、かつＬ字状の他片の突出方向の前方に位置する。
【００１４】
２本のスタッドボルト１８が、下取付金１５の長さ方向に離間して、下取付金１５のＬ字状の一片の内周面に立設されている。２つの長穴１９が、上取付金１６の長さ方向に離間して、上取付金１６のＬ字状の一片にＬ字状の他片と直交する方向に延びるように形成されている。
【００１５】
このよう構成された照明板落下防止装置１４は、スタッドボルト１８を長穴１９のそれぞれに通して、下取付金１５と上取付金１６のＬ字状の他片を相対させてＬ字状の一片同士を重ね、スタッドボルト１８の長穴１９からの突出部にナット２０を締着して、組み立てられる。そして、ナット２０を緩めることで、照明板落下防止装置１４の高さ調整が可能となっている。なお、高さとは、下取付金１５と上取付金１６のＬ字状の他片の外周面間の距離である。また、スタッドボルト１８およびナット２０が固定部材を構成する。
【００１６】
ここで、照明板落下防止装置１４を取り付けるには、まず、ナット２０を緩めて高さを低くした照明板落下防止装置１４を照明口３から天井２の上面側に差し入れる。そして、板ばね１７を照明口３側に向けて、照明板落下防止装置１４を照明ボックス１２内の照明口３の相対する２辺の外側にそれぞれ仮置きする。ついで、照明板落下防止装置１４の板ばね１７の押え部１７ｃ間の距離が、照明板１１の相対する２辺間の距離より短くなり、かつ両押え部１７ｃと照明口３との間の距離が等しくなるように、２つの照明板落下防止装置１４を位置決めする。
【００１７】
ついで、上取付金１６のＬ字状の他片が照明ボックス１２の底面に当接するまで、スタッドボルト１８を案内にして上取付金１６を上方に移動させる。そして、上取付金１６のＬ字状の他片が照明ボックス１２の底面に当接した状態でナット２０を締着し、下取付金１５と上取付金１６を一体化する。これにより、照明板落下防止装置１４が、図１、図２および図３の（ａ）に示されるように、天井２の上面と照明ボックス１２の底面の間に挟持され、横移動を規制されて天井２の上面に取り付けられる。
【００１８】
照明板１１は、照明口３から天井２の上面側に差し入れられ、図３の（ｂ）および図４の（ａ）に示されるように、外周縁部を照明口３の周縁部の上面にのせて、照明板落下防止装置１４の板ばね１７の連結部１７ｂを弾性変形させて押え部１７ｃ間に挟持されて、天井２に装着される。このとき、ストッパ部１ｄは、照明板１１の外周縁部の上方に離間して位置している。
【００１９】
このように構成された天井照明装置１０では、照明器具１３から発せられた光が照明板１１を介してかご室１内に照射される。照明板１１は、板ばね１７の連結部１７ｂを弾性変形させて押え部１７ｃ間に配置され、横移動が規制される。また、照明板１１が上方向に移動すると、押え部１７ｃの上端から照明口３側に突出するストッパ部１７ｄに当たり、それ以上の上方への移動、すなわち浮き上がりが阻止される。これにより、照明板１１がストッパ部１７ｄから外れて天井２から落下するような事態の発生が阻止される。
【００２０】
つぎに、照明板１１の取り外し作業について図４および図５を参照しつつ説明する。
【００２１】
照明板落下防止装置１４は、上取付金１６のＬ字状の他片が照明ボックス１２の底面に当接した状態で、天井２の上面と照明ボックス１２の底面の間に保持されている。照明板１１は、図４の（ａ）に示されるように、外周縁部を照明口３の周縁部の上面にのせて、両照明板落下防止装置１４の板ばね１７の連結部１７ｂを弾性変形させて押え部１７ｃ間に挟持されて、天井２に装着されている。
【００２２】
照明板１１を取り外すには、まず、図４の（ｂ）に示されるように、照明板１１をストッパ部１７ｄに当たるまで上方に移動させ、照明板１１と天井２との間に隙間を作り、薄い鋼板で作製された鋼尺２１をその隙間から差し込む。そして、図４の（ｃ）に示されるように、鋼尺２１で一方の照明板落下防止装置１４の押え部１７ｃを押して板ばね１７の連結部１７ｂをさらに弾性変形させ、押え部１７ｃを下取付金１５側に変位させる。ついで、図５の（ａ）に示されるように、照明板１１を斜めにして上方に移動し、照明板１１の相対する２辺の一方を一方の照明板落下防止装置１４のストッパ部１７ｄより上方に位置させる。
【００２３】
ついで、図５の（ｂ）に示されるように、鋼尺２１による板ばね１７への押圧をやめ、板ばね１７を元の状態に復元させる。ついで、照明板１１の相対する２辺の他方が他方の照明板落下防止装置１４の板ばね１７のストッパ部１７ｄより一方の照明板落下防止装置１４側に来るまで、照明板１１を斜め上方に移動させる。そこで、照明板１１を両照明板落下防止装置１４より上方に持ち上げ、照明板１１が照明口３から引き出せる位置となるように照明ボックス１２内で照明板１１を回転させる。ついで、図５の（ｃ）に示されるように、照明板１１を斜めにして照明口３からかご室１内に引き出し、照明板１１が取り外される。
【００２４】
なお、照明板１１は、上述の照明板１１の取り外し作業と逆の手順で取り付けることができる。
【００２５】
この実施の形態１によれば、照明板落下防止装置１４は、下取付金１５と、下取付金１５に高さ調整可能に取り付けられる上取付金１６と、を備え、下取付金１５を天井２の上面に配設し、上取付金１６を照明ボックス１２の底面に当接させた状態で下取付金１５に締着固定する。そこで、照明ボックス１２に穴加工をすることなく、照明板落下防止機能のない既設の天井照明装置に照明板落下防止装置１４を設置できるので、照明板落下防止機能のない既設の天井照明装置を照明板落下防止機能を備えた天井照明装置に簡易に更新することができる。このように、照明板落下防止装置１４は、新規の天井照明装置に装備されることはいうまでもないことであるが、照明板落下防止機能のない既設の天井照明装置に装備するのに特に有効である。
【００２６】
また、下取付金１５に取り付けられた板ばね１７は、弾性変形した連結部１７ｂの付勢力により下取付金１５から離反する方向に付勢されて照明板１１の外周縁部の側面に当接し、付勢力に抗して下取付金１５に近接する方向に押圧されて照明板の外周縁部の側面から離間する押え部１７ｃと、押え部１７ｃの上端から下取付金１５から離反する方向に突出され、押え部１７ｃが照明板１１の外周縁部の側面に当接したときに、照明板１１の外周縁部の上方に離間して位置して、照明板１１の浮き上がりを阻止するストッパ部１７ｄと、を有している。そこで、照明板１１がストッパ部１７ｄから外れて天井２から落下するような事態の発生が阻止される。
【００２７】
また、照明板１１をストッパ部１７ｄに接するまで持ち上げて、照明板１１の外周縁部と照明口３の周縁部との間に隙間を形成し、鋼尺２１を当該隙間から差し入れて押え部１７ｃを押圧することにより、ストッパ１７ｄと照明板１１との係合を解除できる。これにより、照明板１１の取り外しが容易となり、天井照明装置１０のメンテナンスが容易となるとともに、照明板１１の意匠面の損傷の発生を抑制できる。
【００２８】
なお、上記実施の形態１では、薄い鋼板で作製された鋼尺２１を用いているが、鋼尺２１の材料は、照明板１１の外周縁部と照明口３の周縁部との間の隙間から差し込み可能な薄さを有し、押え部１７ｃを押圧して連結部１７ｂを弾性変形できる剛性を有する材料であれば、鋼板に限定されない。
【００２９】
実施の形態２．
図６はこの発明の実施の形態２に係るエレベータかご室の天井照明装置の照明板落下防止装置の設置状態を示す一部破断上面図、図７はこの発明の実施の形態２に係るエレベータかご室の天井照明装置の照明板落下防止装置の設置状態を示す縦断面図である。
【００３０】
図６および図７において、緩衝材としてのスポンジ２２が、取付部１７ｃが照明板１１の外周縁部の側面に当接したときに、板ばね１７のストッパ部１７ｄの下方に位置するように照明板１１の外周縁部の上面に貼り付けられている。下取付金１５は、そのＬ字状の他片を接着部材としての両面テープ２３により天井２の上面に貼り付けられて天井２の上面に保持されている。
なお、他の構成は、上記実施の形態１と同様に構成されている。
【００３１】
したがって、実施の形態２においても、上記実施の形態１と同様の効果が得られる。
この実施の形態２によれば、スポンジ２２が板ばね１７のストッパ部１７ｄの下方に位置するように照明板１１の外周縁部の上面に配設されているので、照明板１１のガタツキが抑制される。
また、照明板落下防止装置１４の下取付金１５が天井２の上面に接着されているので、照明板落下防止装置１４の横移動が阻止され、照明板１１の落下を確実に防止することができる。
【００３２】
なお、上記実施の形態２では、緩衝材としてスポンジ２２を用いているが、緩衝材はスポンジ２２に限定されず、例えば        を用いてもよい。
また、上記実施の形態２では、接着部材として両面テープ２３を用いているが、接着部材は両面テープ２３に限定されず、例えば接着剤を用いてもよい。
【００３３】
また、上記各実施の形態では、照明板落下防止装置を長方形の照明口の相対する２辺の外側に配設しているが、照明板落下防止装置を長方形の照明口の各辺の外側に配設してもよい。
また、上記各実施の形態では、照明口が略長方形の穴形状に形成されているが、照明口の穴形状は略長方形に限定されず、例えば三角形、台形などでもよい。例えば、照明口が三角形の穴形状であれば、照明板は照明口より一回り大きな三角形の外形形状に形成され、照明板落下防止装置を三角形の照明口の各辺の外側に配設すればよい。
【符号の説明】
【００３４】
１  かご室、２  天井、３  照明口、１０  天井照明装置、１１  照明板、１２  照明ボックス、１３  照明機器、１４  照明落下防止装置、１５  下取付金、１６  上取付金、１７  板ばね、１７ｃ  押え部、１７ｄ  ストッパ部、１８  スタッドボルト（固定部材）、２０  ナット（固定部材）、２１  鋼尺、２２  スポンジ（緩衝材）、２３  両面テープ（接着部材）。
【図１】
2015040108.tif 000003
【図２】
2015040108.tif 000004
【図３】
2015040108.tif 000005
【図４】
2015040108.tif 000006
【図５】
2015040108.tif 000007
【図６】
2015040108.tif 000008
【図７】
2015040108.tif 000009